(57)【要約】      （修正有）【課題】作業全体の衝撃吸収効果を向上させ、切断加工時の押圧効果を発揮することで、切断時のずれ現象を回避し、全体的な作業効果を高める、空気浄化製品の製造装置を提供する。【解決手段】下端の内側に接続溝が設けられ、かつ、接続溝の内側に位置制限用ストッパが設置され、前記ストッパの下端の外側に支持棒が接続され、かつ、ストッパの下端の内側に取付棒が貫通接続される作業台と、支持棒の下端の外側に回転可能に接続され、かつその内側にはばねが固定的に接続され、その下端には作業台の下に位置するベースが設置され、かつ、ベースの上端面には伸縮棒が取り付けられるリミットプレートと、作業台の後端の外側に取付けられ、かつ、その前端には作業台の内部に位置する接続棒が設けられ、かつ、接続棒の前端には切断装置が設置されるモーターとを備える。【選択図】図１
0003234330.tif 000002
【実用新案登録請求の範囲】
【請求項１】
空気浄化製品の製造装置であって、
下端の内側に接続溝が設けられ、かつ、接続溝の内側に位置制限用ストッパが設置され、前記ストッパの下端の外側に支持棒が接続され、かつ、ストッパの下端の内側に取付棒が貫通接続される作業台と、
支持棒の下端の外側に回転可能に接続され、かつ、その内側にはばねが固定的に接続され、その下端には作業台の下に位置するベースが設置され、かつ、ベースの上端面には伸縮棒が取り付けられるリミットプレートと、
作業台の後端の外側に取付けられ、その前端には作業台の内部に位置する接続棒が設けられ、かつ、接続棒の前端には切断装置が設置され、前記接続棒の後端の外側にベルトが接続され、ベルトの上端の内側に伝動ギアアセンブリが接続されるモーターと、
伝動ギアアセンブリの右端の外側に設置され、かつ、その外側に作業台の上端の外側に位置する取付ストリップが接続される連結棒とを備えることを特徴とする。
【請求項２】
前記ストッパは接続溝を介して作業台と摺動可能に接続され、かつ、ストッパは取付棒を介して支持棒と回転可能な構造を形成することを特徴とする請求項１に記載の空気浄化製品の製造装置。
【請求項３】
前記支持棒自体は傾斜して設置され、かつ、支持棒は作業台の垂直中心軸線に対して左右対称に設置されることを特徴とする請求項１に記載の空気浄化製品の製造装置。
【請求項４】
前記リミットプレートとベースは摺動可能な方法で接続され、かつ、ストッパと支持棒はそれぞれ対応して設置され、かつ、支持棒自体は傾斜して設置されることを特徴とする請求項１に記載の空気浄化製品の製造装置。
【請求項５】
前記接続棒の一端は切断装置の後端の外側に位置され、かつ、接続棒は伝動ギアアセンブリを介して作業台と回転可能な構造を形成することを特徴とする請求項１に記載の空気浄化製品の製造装置。
【請求項６】
前記接続棒と取付ストリップの一側は摺動可能な方法で接続され、かつ、取付ストリップの他側に位置制限用の突起構造が設置されることを特徴とする請求項１に記載の空気浄化製品の製造装置。
【考案の詳細な説明】
【技術分野】
【０００１】
この実用新案は、空気浄化製品の製造技術分野に関し、具体的には空気浄化製品の製造装置に関する。
【背景技術】
【０００２】
空気浄化とは、さまざまな室内環境問題に対して、殺菌・消毒、ほこりの低減・ヘイズ除去、有害な内装残留物の除去などの総合的な解決策を提供することであり、生活やオフィス環境の改善につながり、現在、人々の生活に広く利用されている。
【０００３】
授権公告番号CN212684076Uは、ろ過綿の製造用切断装置を開示している、この装置は、ハウジングを備え、ハウジングの左側と右側には、それぞれ供給口と排出口が設置され、供給口と排出口にそれぞれハウジングの内部に伸びる供給コンベヤと排出コンベヤが設置される。この実用新案において、供給コンベヤと排出コンベヤを設置することにより、支柱と押出ローラの作用下でろ過綿の効果的な輸送を実現する同時に、張力効果を発揮し、切断工具ホルダーと切断溝板を設置することにより、必要なサイズのろ過綿を切断し、切断されたろ過綿は、油圧昇降棒の収縮時に回転式取り付けテーブルに沿って排出傾斜板に落下し、ろ過綿の切断が完了する。この装置は、指定の形状に従ってろ過綿を切断することができ、操作が簡単で、普及と使用に適する。
【０００４】
上記の既存の技術的解決策には、依然としていくつかの欠点がある、例えば、装置全体の衝撃吸収効果が悪い、切断時に押圧効果がないため、切断中にずれが発生し、使用しにくいである。したがって、この実用新案は、上記の問題を解決するために空気浄化製品の製造装置を提供する。
【考案の概要】
【考案が解決しようとする課題】
【０００５】
本実用新案の目的は、上記の背景技術で提出する使用時の装置全体の衝撃吸収効果が悪い、切断時に押圧効果がない、切断中にずれが発生し、使用しにくい問題を解決するために空気浄化製品の製造装置を提供することである。
【課題を解決するための手段】
【０００６】
上記の目的を達成するために、本実用新案は、以下の技術的解決策を提供する、すなわち、空気浄化製品の製造装置であって、
下端の内側に接続溝が設けられ、かつ、接続溝の内側に位置制限用ストッパが設置され、前記ストッパの下端の外側に支持棒が接続され、かつ、ストッパの下端の内側に取付棒が貫通接続される作業台と、
支持棒の下端の外側に回転可能に接続され、かつ、その内側にはばねが固定的に接続され、その下端には作業台の下に位置するベースが設置され、かつ、ベースの上端面には伸縮棒が取り付けられるリミットプレートと、
作業台の後端の外側に取付けられ、かつ、その前端には作業台の内部に位置する接続棒が設けられ、かつ、接続棒の前端には切断装置が設置され、前記接続棒の後端の外側にベルトが接続され、かつ、ベルトの上端の内側に伝動ギアアセンブリが接続されるモーターと、
伝動ギアアセンブリの右端の外側に設置され、かつ、その外側に作業台の上端の外側に位置する取付ストリップが接続される連結棒とを備える。
【０００７】
好ましくは、前記ストッパは接続溝を介して作業台と摺動可能に接続され、かつ、ストッパは取付棒を介して支持棒と回転可能な構造を形成する。
好ましくは、前記支持棒自体は傾斜して設置され、かつ、支持棒は作業台の垂直中心軸線に対して左右対称に設置される。
好ましくは、前記リミットプレートとベースは摺動可能な方法で接続され、かつ、ストッパと支持棒はそれぞれ対応して設置され、かつ、支持棒自体は傾斜して設置される。
好ましくは、前記接続棒の一端は切断装置の後端の外側に位置され、かつ、接続棒は伝動ギアアセンブリを介して作業台と回転可能な構造を形成する。
好ましくは、前記接続棒と取付ストリップの一側は摺動可能な方法で接続され、かつ、取付ストリップの他側に位置制限用の突起構造が設置される。
【０００８】
従来技術と比較して、この実用新案の有利な効果は次のとおりである：該空気浄化製品の製造装置は、作業全体の衝撃吸収効果を向上させ、切断加工時の押圧効果を発揮することで、切断時のずれ現象を回避し、作業全体の効果を高める。
【０００９】
1、作業台の下端の内部は接続溝を介してストッパを摺動可能に接続され、かつ、ストッパの下端の外側には、取付棒を介して支持棒を回転可能に接続され、同時に支持棒の下端の外側には、リミットプレートが接続され、リミットプレートはベースと摺動可能に接続され、作業時の全体的な衝撃吸収効果を向上させる。
2、接続棒は伝動ギアアセンブリを介して作業台と回転可能な構造を形成し、接続棒の外側には双方向スパイラル溝構造が開設され、同時に、接続棒と取付ストリップの一側は、摺動可能な方法で接続され、取付ストリップに伝動効果があり、全体的な作業効果が強化される。
3、取付ストリップの他側に作業台の内側に位置する位置制限用の突起構造が設置され、かつ、取付ストリップの左側は切断する必要がある空気浄化製品と接触し、空気浄化製品に押圧効果があり、さらに切断加工中のずれ現象が回避される。
【図面の簡単な説明】
【００１０】
【図１】本実用新案の正面断面構造の概略図である。
【図２】本実用新案の側面断面構造の概略図である。
【図３】本実用新案の接続棒と取付ストリップとの接続上部断面構造の概略図である。
【図４】本実用新案の図2のA部詳細構造の概略図である。
【考案を実施するための形態】
【００１１】
以下は、本実用新案の実施形態における技術的解決策を、本実用新案の実施形態における添付の図面と合わせて明確かつ完全に説明する、もちろん、ここで記載された実施形態は、本実用新案の実施形態の一部に過ぎず、すべての実施形態ではない。実用新案の実施形態に基づいて、創造的作業なしに当業者によって得られた他のすべての実施形態は、本実用新案の保護範囲に含まれるものとする。
【００１２】
図1−4に示すように、本実用新案は技術的解決策を提供する、具体的には、空気浄化製品の製造装置であって、作業台1の下端の内側に接続溝15が開設され、かつ、接続溝15の内側には位置制限用のストッパ2が設置され、ストッパ2の下端の外側には支持棒3が接続され、かつ、ストッパ2の下端の内側は取付棒16が貫通接続され、リミットプレート4は支持棒3の下端の外側に回転可能に接続され、かつ、リミットプレート4の内側にばね5が固定的に接続され、リミットプレート4の下端に作業台1の下に位置するベース5が設置され、かつ、ベース6の上端面には伸縮棒7が取り付けられ、同時に作業台1の後端の外側にモーター8が取り付けられ、かつ、切断装置10は接続棒9を介して作業台1の内側に設置され、それによって空気浄化製品の製造装置を構成する。
【００１３】
図1と図4に示すように、該空気浄化製品の製造装置を使用するとき、まず、ベース6を介して装置全体を平らな表面に置き、作業台1の下端の内部は接続溝15を介してストッパ2を接続し、かつストッパ2の下端の外側は取付棒16を介して支持棒3を接続し、同時に支持棒3の下端の外側はリミットプレート4と回転可能に接続しているため、製造装置の作動中にストッパ2は外力の作用下で作業台1と摺動可能になり、同時に支持棒3の下端で回転可能に接続するリミットプレート4はベース6と摺動可能に接続され、さらにリミットプレート4の内側に固定的に接続されているばね5が変形し、リミットプレート4に支持効果が発生する、この時、ベース6の上端面に設置される伸縮棒7は支持棒3の作用下で変化し、作業台1を支持し、さらに全体の衝撃吸収効果を発揮する。
【００１４】
具体的には図2と図3に示すように、切断する必要がある空気浄化製品を作業台1の上端の外側に置き、空気浄化製品の一端が取付ストリップ14の左側と互いに接続するようにし、この時、作業台1の後端の外側に設置するモーター8を起動し、接続棒9に駆動される切断装置10を作業台1の内部に回転させ、同時に接続棒9の外側に接続するベルト11は作業台1の後端の外側に位置する伝動ギアアセンブリ12を駆動して回転させ、さらに連結棒13を回転させる、連結棒13と取付ストリップ14の一側は摺動可能な方法で接続され、かつ、取付ストリップ14の他側に位置制限用の突起構造があり、同時に、連結棒13の外側に双方向スパイラル溝構造が設けられているので、取付ストリップ14を作業台1の外側に移動するように駆動させる、かつ、取付ストリップ14の前端下側に設置する突起構造は作業台1と摺動可能に接続しているので、取付ストリップ14に位置制限および摺動効果を強化する作用があり、取付ストリップ14は連結棒13の作用下で空気浄化製品を切断装置10に近づけるように押し、空気浄化製品を切断する、さらに、取付ストリップ14は空気浄化製品に対して押圧効果があるので、切断加工中のずれ現象を回避することができる。
【００１５】
この実用新案に使用する標準部品は市場から購入でき、特殊形状の部品は明細書や図面の説明に従って製造できる。各部品の特定の接続方法は、成熟した既存技術のボルト、リベット、溶接などの一般的な方法を採用し、機械、部品および装置などは、既存技術の一般的なモデルを採用し、回路接続は、既存技術の一般的な接続方法を採用する、ここではこれ以上説明しない、この明細書に詳しく説明していない内容は、この技術分野の当業者が周知する既存技術である。
【００１６】
本実用新案は、前述の実施形態を参照して詳細に説明されたが、当業者は依然として、前述の実施形態に記載された技術的解決策を修正するか、または技術的特徴の一部に対して同等の置換を行うことができる。本実用新案の精神と原則の範囲内で行った修正、同等の交換、改善などは、本実用新案の保護範囲に含まれるものとする。
【符号の説明】
【００１７】
1.作業台、2.ストッパ、3.支持棒、4.リミットプレート、5.ばね、6.ベース、7.伸縮棒、8.モーター、9.接続棒、10.切断装置、11.ベルト、12.伝動ギアアセンブリ、13.連結棒、14.取付ストリップ、15.接続溝、15.取付棒。
【図１】
0003234330.tif 000003
【図２】
0003234330.tif 000004
【図３】
0003234330.tif 000005
【図４】
0003234330.tif 000006